(57)【特許請求の範囲】
【請求項１】
隣接領域同士で映像が重複しないようにソース画像を分割したＮ個の分割画像を送出する分割装置と、
前記Ｎ個の分割画像それぞれを伝送するＮ本の伝送路と、
それぞれ対応する分割画像の外側全周に渡って、当該分割画像の端部に位置する画素をコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成するＮ個の擬似画素挿入部と、
それぞれ対応する拡張処理済み画像に空間信号処理を加えて空間処理済み画像を生成するＮ個の画像処理部と、
それぞれ対応する空間処理済み画像から前記擬似画素に対応する画像成分を除去し、入力時と同じ画像サイズの分割画像を切り出すＮ個の分割画像切出部と、
切り出されたＮ個の分割画像を貼り付け合成し、ソース画像と同じ画像サイズの再合成画像を生成する画像合成部と
を有する画像表示システム。
【請求項２】
請求項１に記載の画像表示システムにおいて、
前記伝送路は、ＨＤ−ＳＤＩ規格に準拠し、
前記ソース画像は、ＨＤ−ＳＤＩ規格の４倍の解像度で与えられる
画像表示システム。
【請求項３】
請求項１に記載の画像表示システムにおいて、
前記分割装置は、撮像装置に搭載される
画像表示システム。
【請求項４】
請求項１に記載の画像表示システムにおいて、
前記分割装置は、画像再生装置に搭載される
画像表示システム。
【請求項５】
請求項１に記載の画像表示システムにおいて、
前記分割装置は、画像編集装置に搭載される
画像表示システム。
【請求項６】
請求項１に記載の画像表示システムにおいて、
前記分割装置は、スイッチング装置に搭載される
画像表示システム。
【請求項７】
隣接領域同士で画像が重複しないようにソース画像を分割したＮ個の分割画像を入力する表示装置であって、
それぞれ対応する分割画像の外側全周に渡って、当該分割画像の端部に位置する画素をコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成するＮ個の擬似画素挿入部と、
それぞれ対応する拡張処理済み画像に空間信号処理を加えて空間処理済み画像を生成するＮ個の画像処理部と、
それぞれ対応する空間処理済み画像から前記擬似画素に対応する画像成分を除去し、入力時と同じ画像サイズの分割画像を切り出すＮ個の分割画像切出部と、
切り出されたＮ個の分割画像を貼り付け合成し、ソース画像と同じ画像サイズの再合成画像を生成する画像合成部と、
生成された再合成画像を表示する表示デバイスと
を有する表示装置。
【請求項８】
隣接領域同士で画像が重複しないようにソース画像を分割したＮ個の分割画像を入力する画像再合成装置であって、
それぞれ対応する分割画像の外側全周に渡って、当該分割画像の端部に位置する画素をコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成するＮ個の擬似画素挿入部と、
それぞれ対応する拡張処理済み画像に空間信号処理を加えて空間処理済み画像を生成するＮ個の画像処理部と、
それぞれ対応する空間処理済み画像から前記擬似画素に対応する画像成分を除去し、入力時と同じ画像サイズの分割画像を切り出すＮ個の分割画像切出部と、
切り出されたＮ個の分割画像を貼り付け合成し、ソース画像と同じ画像サイズの表示映像を生成する画像合成部と
を有する画像再合成装置。
【請求項９】
隣接領域同士で画像が重複しないようにソース画像を分割したＮ個の分割画像が入力される場合において、
それぞれ対応する分割画像の外側全周に渡って、当該分割画像の端部に位置する画素をコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成する処理と、
それぞれ対応する拡張処理済み画像に空間信号処理を加えて空間処理済み画像を生成する処理と、
それぞれ対応する空間処理済み画像から前記擬似画素に対応する画像成分を除去し、入力時と同じ画像サイズの分割画像を切り出す処理と、
切り出されたＮ個の分割画像を貼り付け合成し、ソース画像と同じ画像サイズの表示映像を生成する処理と
を実行する画像再合成方法。
【請求項１０】
隣接領域同士で画像が重複しないようにソース画像を分割したＮ個の画像映像が入力されるコンピュータに、
それぞれ対応する分割画像の外側全周に渡って、当該分割画像の端部に位置する画素のコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成する処理と、
それぞれ対応する拡張処理済み画像に空間信号処理を加えて空間処理済み画像を生成する処理と、
それぞれ対応する空間処理済み画像から前記擬似画素に対応する画像成分を除去し、入力時と同じ画像サイズの分割画像を再生する処理と、
切り出されたＮ個の分割画像を貼り付け合成し、ソース画像と同じ画像サイズの表示画像を生成する処理と
を実行するプログラム。
【発明の詳細な説明】
【技術分野】
【０００１】
この明細書で説明する発明は、隣接領域同士で重複が発生しないようにソース画像を分割したＮ個の分割画像を貼り合わせる際、分割画像同士の境目部分に非連続が知覚され難い再合成画像を生成する技術に関する。
なお、発明は、同技術を採用する画像表示システム、表示装置、画像再合成装置、画像再合成方法及びプログラムとしての側面を有する。
【背景技術】
【０００２】
コンピュータの性能向上に伴い、自由な解像度で映像を処理できる環境が整いつつある。これに伴い、ＨＤ（high definition）解像度を遙かに越える超解像度の映像を処理できるシステムの開発が進められている。
例えば２ＫサイズのＨＤ映像（以下、「２Ｋ映像」ともいう。）に対して４倍の画素サイズ、すなわち４Ｋ×２Ｋ映像を処理できるシステムの開発が進められている。
【０００３】
システムの開発には、既存のシステムや大規模集積回路（ＬＳＩ：large scale integrated circuit）を有効利用が効果的である。
例えば４Ｋ×２Ｋ映像の画面を２Ｋ映像サイズの分割画面に分割し、４つの２Ｋ映像を既存のシステムや大規模集積回路で信号処理してから再合成（貼合わせ）する手法が考えられる。
【０００４】
このように、４Ｋ×２Ｋ映像を４つの２Ｋ映像に分割してそれぞれ独立に信号処理し、その後、これらを再合成して４Ｋ×２Ｋ映像を生成すれば、超解像度映像の処理システムの開発期間を大幅に短縮することができる。加えて、超解像度映像の処理システムを安価に構築するのにも効果的である。
【特許文献１】特開２００５−１１７２６６号公報
【発明の開示】
【発明が解決しようとする課題】
【０００５】
しかし、既存のシステムや大規模集積回路は、ソース映像を分割した分割映像を処理することを設計当初から想定していない。
このため、分割後の２Ｋ映像はそれぞれ他の２Ｋ映像とは独立に信号処理される。この信号処理には、一般に映像の空間周波数を加工する処理（空間処理）が実行される。
ところが、それぞれ独立に空間処理した４つの分割映像（２Ｋ映像）を再合成して４Ｋ×２Ｋ映像を生成すると、合成する分割映像同士の境界付近に映像の乱れが確認されることがある。
【０００６】
これは、分割映像の外縁に近い画素を空間処理する際、分割映像の外側に黒又はグレーの画素又は不確定の画素を便宜的に与えて演算処理を実行するため、分割映像の外縁部の画素に便宜的に与えた画素情報が取り込まれるためと考えられる。
かくして、空間処理後の分割映像を貼り合せされて再構成した映像には、合成した分割映像同士の境界付近に映像の不連続点が確認されやすくなる。
【０００７】
この現象を具体例で説明する。図１に、分割映像（２Ｋ映像）と４Ｋ×２Ｋ映像の画面例を示す。図１（Ａ）は、分割映像（２Ｋ映像）であり、図１（Ｂ）は分割映像を独立に空間処理した後に再合成した４Ｋ×２Ｋ映像である。
図２〜図４に、分割映像同士の境界付近の拡大図を示す。
【０００８】
図２は、図１（Ｂ）の矢印Ａで示す部分を拡大した図である。すなわち、図１（Ａ）の上段に位置する左右２つの分割映像の境界付近を拡大した図である。図に示すように、２つの分割映像の境界位置に、垂直方向に延びるスジが確認される。
図３は、図１（Ｂ）の矢印Ｂで示す部分を拡大した図である。すなわち、図１（Ａ）の左側に位置する上下２つの分割映像の境界付近を拡大した図である。わずかではあるが、２つの分割映像の境界位置に、水平方向に延びるスジが確認される。
【０００９】
図４は、図１（Ｂ）の矢印Ｃで示す部分を拡大した図である。すなわち、図１（Ａ）の下段に位置する左右２つの分割映像の境界付近を拡大した図である。図に示すように、２つの分割映像の境界位置に、垂直方向に延びるスジが確認される。
このように、既存のシステム等をそのまま応用したのでは、分割映像同士の境界付近の映像に乱れが生じてしまい、４Ｋ×２Ｋ映像の品質を損ねてしまう。
【課題を解決するための手段】
【００１０】
そこで、発明者は、以下の処理機能を搭載する画像表示システムを提案する。
（ａ）隣接領域同士で映像が重複しないようにソース画像を分割したＮ個の分割画像を送出する機能
（ｂ）Ｎ個の分割画像それぞれを伝送するＮ本の伝送路
（ｃ）それぞれ対応する分割画像の外側全周に渡って、当該分割画像の端部に位置する画素をコピーすること、当該分割画像の端部付近に位置する画素を端部に対して線対称に折り返すこと、又は、当該分割画像の端部付近に位置する画素に基づいて多項式近似法を用いることにより生成した擬似画素を挿入して、拡張処理済み画像を生成する機能
（ｄ）それぞれ対応する拡張処理済み画像に空間信号処理を加えて空間処理済み画像を生成する機能
（ｅ）それぞれ対応する空間処理済み画像から擬似画素に対応する画像成分を除去し、入力時と同じ画像サイズの分割画像を切り出す機能
（ｆ）切り出されたＮ個の分割画像を貼り付け合成し、ソース画像と同じ画像サイズの再合成画像を生成する機能
【発明の効果】
【００１１】
発明に係る技術の採用により、隣接領域同士の画像が重複しないようにソース画像を分割した分割画像が入力された場合でも、分割画像の再合成時に分割画像同士の境界付近で画像の品質低下を回避することができる。
【発明を実施するための最良の形態】
【００１２】
以下、発明に係る処理機能を搭載した画像表示システム例を説明する。
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）映像表示システム例
（Ａ−１）全体構成
ここでは、４Ｋ×２Ｋ解像度の映像をフルＨＤ解像度の映像に分割して伝送し、表示装置側で４Ｋ×２Ｋ解像度の映像に再構築する映像表示システムについて説明する。
図５に、映像表示システムの形態例を示す。映像表示システム１は、送出装置３及び表示装置５で構成する。なお、送出装置３と表示装置５は、共通の筐体に収容する構成とすることもできるが、ここでは送出装置３と表示装置５がそれぞれ独立した筐体に収容される場合について説明する。
【００１４】
送出装置３は、４Ｋ×２Ｋ解像度の映像をフルＨＤ解像度の映像に分割し、４本のデータストリームとして送出する映像処理装置である。
送出装置３には、例えば撮像カメラ、再生装置、スイッチャその他の映像処理装置を適用する。送出装置３は、映像処理装置の商品形態に応じた内部構成や分割装置３１を搭載する。ここで、分割装置３１は、４Ｋ×２Ｋ解像度で与えられる映像をフルＨＤ解像度の映像サイズに４分割する処理を実行する。
【００１５】
この形態例の場合、フルＨＤ解像度の映像伝送に、ＨＤ−ＳＤＩのように規格化された既存の伝送路を使用する。この場合、伝送路には、規格を逸脱する付加情報を伝送するような変則的な運用はできない。このため、分割装置３１は、４Ｋ×２Ｋ解像度の映像を、既存の映像フォーマットのいずれかの規格サイズに分割する。
例えば、４Ｋ×２Ｋ解像度の映像が、水平方向と垂直方向に３８４０画素と２１６０画素で与えられる場合、分割装置３１は、１９２０画素と１０８０画素で与えられる解像度の映像に分割する。
【００１６】
また例えば、４Ｋ×２Ｋ解像度の映像が、水平方向と垂直方向に４０９６画素と２１６０画素で与えられる場合、分割装置３１は、２０４８画素と１０８０画素で与えられる解像度の映像に分割する。
この際、４Ｋ×２Ｋ映像（ソース映像）は、分割映像同士間で重複（オーバーラップ）のない４つの分割映像に分割される。
図６に、以上の分割関係を示す。図６（Ａ）は、４Ｋ×２Ｋ映像（ソース映像）の画素サイズを示し、図６（Ｂ）はフルＨＤ解像度の映像（２Ｋ映像）の画素サイズを示す。
【００１７】
表示装置５は、４つの２Ｋ映像から１つの４Ｋ×２Ｋ映像を再合成する再合成装置５１と、再合成された４Ｋ×２Ｋ映像を表示する表示デバイス５３とで構成される。表示装置５の表示方式には、直視型だけでなく、投射型や投影型も適用できる。例えばフラットパネルディスプレイだけでなく、プロジェクタにも適用できる。また、表示装置５は、汎用製品でも業務製品でも良い。
【００１８】
（Ａ−２）映像再合成装置の構成
図７に、表示装置５に搭載する映像再合成装置５１の詳細構成例を示す。
映像再合成装置５１は、擬似画素挿入部５１１、映像処理部５１３、部分映像切出部５１５、映像合成部５１７で構成する。ここで、映像合成部５１７を除く、擬似画素挿入部５１１、映像処理部５１３、部分映像切出部５１５については４本のデータストリームに対応して４組づつ搭載される。
【００１９】
擬似画素挿入部５１１は、処理対象とする分割映像（２Ｋ映像）から演算により生成した擬似画素を、分割映像の有効画素領域の外部に外挿する処理を実行する。すなわち、擬似画素挿入部５１１は、画枠を一時的に拡大する処理を実行する。
ここで、擬似画素挿入部５１１は、例えば有効画素領域の端部に位置する画素のコピーを外挿する方法、有効画素領域の端部付近に位置する画素を端部に対して線対称に折り返して外挿する方法、多項式近似法その他を用いて擬似画素を生成して外挿する方法、又はこれら方法で挿入した画素に空間的な低域通過フィルタ（ＬＰＦ）を通す方法を適用する。
【００２０】
実際の外挿演算では、視覚的効果と演算難易度のバランスに基づいて、演算方法を固定する方法又は複数の演算方法を選択的に適用する方法を適用する。
なお、自然画像においては、隣接する画素間の相関が高いことが経験則として知られている。従って、分割映像内の画素に基づいて生成した画素は、その生成方法が比較的単純であるとしても、分割映像の外側に本来存在する画素と相関の高い擬似画素を生成することができる。
【００２１】
図８に、この形態例で採用する擬似画素の外挿位置を示す。図８（Ａ）は、擬似画素挿入部５１１に入力される分割映像（２Ｋ映像）の画素サイズ例である。ここでは、フルＨＤ映像であるので、水平画素が１９２０×垂直画素が１０８０である。
図８（Ｂ）は、擬似画素挿入後の拡張済み映像の画素サイズ例である。図８（Ｂ）は、擬似画素を水平方向と垂直方向の両側に８画素づつ挿入する例である。
【００２２】
映像処理部５１３は、生成された拡張済み映像（図８（Ｂ））の空間信号処理を実行する処理デバイスである。空間信号処理とは、例えば２次元ノイズフィルタ処理、空間周波数変換処理、輪郭強調処理等である。
これらの信号処理では、演算処理に隣接画素を必要とする。このため、処理対象とする映像の有効画素領域の端部の画素を処理する場合には、有効画素領域の外側に不確定データ又はダミーデータを挿入して演算が実行される。通常、黒又はグレーがダミー画素として使用される。
【００２３】
この例の場合も同様の演算が実行される。図９に、輪郭強調処理の処理原理を示す。輪郭強調処理の内容自体は既知の技術であるので詳細な説明は省略する。
基本的には、元映像とその遅延映像との差分を算出することで高域成分を抽出し、抽出された高域成分に比例係数α（ここでは０．３）を乗算した結果を元信号に加算する処理を実行する。
図１０に、輪郭強調処理を実現する有限インパルス応答（ＦＩＲ）フィルタの構成例を示す。
【００２４】
この例の場合も、拡張済み映像の有効画素領域の端部についてはダミー画素の影響が現れる。ただし、これら端部画素は、分割映像（２Ｋ映像）の有効画素領域の外側である。このため、空間処理結果は、分割映像（２Ｋ映像）の有効画素領域内までは影響しない。
また、分割映像（２Ｋ映像）の有効画素領域の端部に位置する画素に対する空間処理には、前述したように有効画素領域の端部に位置する画素と相関の高い擬似画素が用いられる。従って、分割映像（２Ｋ映像）の有効画素領域の端部に対する処理結果は、視覚的にも自然な空間処理効果が期待できる。
【００２５】
部分映像切出部５１５は、空間処理済みの映像（図８（Ｂ））より先に挿入された擬似画素に対応する映像成分を除去し、入力時と同じ映像サイズの分割映像を再生する処理を実行する。すなわち、２Ｋ映像を再生する処理を実行する。
映像合成部５１７は、切り出された４個の分割映像（２Ｋ）を貼り付け合成し、ソース映像（４Ｋ×２Ｋ映像）と同じ映像サイズの再合成映像を生成する処理を実行する。
【００２６】
（Ａ−３）処理の流れと効果
図１１に、前述した映像表示システム１で実行される一連の処理内容を模式的に示す。  まず、４Ｋ×２Ｋ解像度の映像（図１１（Ａ））を４つの分割映像に分割する処理が実行される（図１１（Ｂ））。勿論、分割映像は、フルＨＤ解像度の映像である。
次に、分割映像に基づいて生成した擬似画素を分割映像の外側に挿入し、画枠を拡張する処理が実行される。この処理により、拡張済み映像が生成される（図１１（Ｃ））。
【００２７】
次に、拡張済み映像の空間信号処理が実行され（図１１（Ｄ））、分割映像に含まれるノイズ成分の除去処理や輪郭の強調処理が実行される。
この後、拡張済み映像より擬似画素の挿入部分が取り除かれる。すなわち、フルＨＤ解像度と同じ有効画素領域を有する映像が拡張済み映像より切り出される（図１１（Ｅ））。
最後に、再生された４つの分割映像が貼り付け合成され、ソース映像と同じ映像サイズの４Ｋ×２Ｋ映像が再生される（図１１（Ｆ））。
【００２８】
この処理結果を具体例で説明する。図１２に、再合成する分割映像（２Ｋ映像）と再合成後の４Ｋ×２Ｋ映像の画面例を示す。図１２（Ａ）は、端部画素のコピーを分割映像（２Ｋ映像）の外側に挿入して画枠を拡大した映像を空間処理し、その後、元の映像サイズを取り出すことで得られる映像の例である。
図１２（Ｂ）は、これら分割映像を貼り付け合成した４Ｋ×２Ｋ映像の例である。
図１３〜図１５に、分割映像同士の境界付近の拡大図を示す。なお、これらの拡大図は、いずれも図２〜図４に示す拡大図と同一箇所に対応する。
【００２９】
図１３は、図１２（Ｂ）の矢印Ａで示す部分を拡大した図である。すなわち、図１２（Ａ）の上段に位置する左右２つの分割映像の境界付近を拡大した図である。この処理方式の場合、２つの分割映像の境界位置にスジは認められない。
図１４は、図１２（Ｂ）の矢印Ｂで示す部分を拡大した図である。すなわち、図１２（Ａ）の左側に位置する上下２つの分割映像の境界付近を拡大した図である。この場合も、２つの分割映像の境界位置にスジは認められない。
【００３０】
図１５は、図１２（Ｂ）の矢印Ｃで示す部分を拡大した図である。すなわち、図１２（Ａ）の下段に位置する左右２つの分割映像の境界付近を拡大した図である。この場合も、２つの分割映像の境界位置にスジは認められない。
以上のように、隣接領域同士で映像の重複が発生しないようにソース映像を分割した分割映像が入力された場合にも、分割映像に基づいて生成した擬似画素を外挿して画枠を拡大して上で空間信号処理を実行し、その後、擬似画素に相当する映像領域を除去することにより、再合成時に分割映像同士の境界付近に映像の乱れの無い４Ｋ×２Ｋ映像を合成することができる。
【００３１】
特にこの映像再合成方法は、ソース映像の映像サイズが伝送規格で定まる映像サイズの整数倍であり、伝送用に生成する分割映像として互いに重複する映像成分を含ませることができない場合に効果的である。
すなわち、各分割映像同士で重複する映像成分が含まれない場合でも、ノイズ除去や輪郭強調処理その他の空間信号処理による分割映像端部の映像の乱れを回避でき、品質の高い映像を再現することができる。
【００３２】
（Ｂ）他の形態例
（ａ）前述の形態例では、分割映像の四方、すなわち上下左右の４方向に擬似画素を挿入して画枠を拡大する場合について説明した（図８）。
しかし、映像の内容や人間の視覚特性を考慮すると、分割映像の左右（水平方向）両側についてのみ擬似画素を挿入する手法を採用しても良い。実際、前述した例でも上下に隣り合う分割映像間の境目は目立たない。
【００３３】
図１６に、擬似画素の外挿位置例を示す。図１６（Ａ）は、分割映像（２Ｋ映像）の画素サイズ例である。ここでは、フルＨＤ映像であるので、水平画素が１９２０×垂直画素が１０８０である。
図１６（Ｂ）は、擬似画素挿入後の拡張済み映像の画素サイズ例である。図１６（Ｂ）では、擬似画素を水平方向に８画素づつ挿入している。
図１７に、この画枠拡張方法を採用する場合の一連の処理内容を示す。処理内容は、前述した形態例と全く同じであるが、図１７（Ｃ）〜（Ｅ）の映像サイズが横長になっている。
【００３４】
なお、この処理方法は、わずかではあるが信号処理対象である画素数が少なくできるため、処理負荷を軽減する上でも効果的である。
また、この処理方法では、全ての分割映像について水平方向の両側に擬似画素を挿入する場合について説明した。
しかし、分割映像のつなぎ目の乱れが目立つのは鑑賞者の注目が集まる画面中央であることを考慮すると、画面中央付近についてのみ擬似画素を挿入する手法を採用しても良い。
【００３５】
例えば図１８に示すように、各分割映像について、画面中央寄りの２辺についてのみ擬似画素を挿入しても良い。
この場合、左上隅の分割映像については、映像領域の右側と下側に擬似画素を挿入する。右上隅の分割映像については、映像領域の左側と下側に擬似画素を挿入する。左下隅の分割映像については、映像領域の右側と上側に擬似画素を挿入する。右下隅の分割映像については、映像領域の左側と上側に擬似画素を挿入する。
【００３６】
また、図１９に示すように、各分割映像について、画面中央寄りの１辺についてのみ擬似画素を挿入しても良い。
この場合、左上隅の分割映像については、映像領域の右側のみに擬似画素を挿入する。右上隅の分割映像については、映像領域の左側のみに擬似画素を挿入する。左下隅の分割映像については、映像領域の右側のみに擬似画素を挿入する。右下隅の分割映像については、映像領域の左側のみに擬似画素を挿入する。
【００３７】
（ｂ）前述の形態例では、ソース映像の画素サイズが伝送規格で規定される画素サイズの４倍である場合について説明した。
しかし、ソース映像の画素サイズが伝送規格で規定される画素サイズに対してＮ倍（Ｎは２以上の整数倍）である場合に広く適用できる。
（ｃ）前述の形態例では、分割映像の伝送にＨＤ−ＳＤＩ規格を使用する場合について説明した。
しかし、発明の実施時点において既存の伝送規格であれば任意の伝送規格を適用できる。例えば、出願時点においては、ＳＤＩ（serial digital interface）規格を適用することもできる。
【００３８】
（ｄ）前述の形態例では、４Ｋ×２Ｋ映像（動画像）を処理対象とする場合について説明した。
しかし、この発明は、静止画像の処理にも同様に適用することができる。
（ｅ）前述の形態例で説明した映像再合成装置の処理内容は、ディジタルシグナルプロセッサや汎用プロセッサ上で実行されるプログラムとして実現することもできる。この場合、プログラムは、記憶媒体に格納して配布しても良く、ネットワーク経由で配信しても良い。なお、記憶媒体は、磁気記憶媒体、光学式記憶媒体、半導体記憶媒体その他を含む。
【００３９】
（ｆ）前述の形態例では、映像再合成装置を表示装置に搭載する場合について説明した。しかし、映像再合成装置は、編集装置、印刷装置その他の画像処理装置に搭載しても良い。
（ｇ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００４０】
【図１】４Ｋ×２Ｋ映像と分割映像（２Ｋ映像）の関係を説明する図である。
【図２】画面内の上段に位置する左右２つの分割映像の境界付近の拡大図である。
【図３】画面内の左側に位置する上下２つの分割映像の境界付近の拡大図である。
【図４】画面内の下段に位置する左右２つの分割映像の境界付近の拡大図である。
【図５】映像表示システム例を示す図である。
【図６】ソース映像と分割映像の画素サイズ関係を示す図である。
【図７】映像再合成装置の構成例を示す図である。
【図８】擬似画素の挿入位置例を示す図である。
【図９】輪郭強調処理の原理を説明する図である。
【図１０】輪郭強調処理に対応するフィルタの構成例を示す図である。
【図１１】映像表示システムで実行される一連の処理内容を示す図である。
【図１２】再結合する分割映像（２Ｋ映像）と再結合後の４Ｋ×２Ｋ映像を示す図である。
【図１３】画面内の上段に位置する左右２つの分割映像の境界付近の拡大図である。
【図１４】画面内の左側に位置する上下２つの分割映像の境界付近の拡大図である。
【図１５】画面内の下段に位置する左右２つの分割映像の境界付近の拡大図である。
【図１６】擬似画素の他の挿入位置例を示す図である。
【図１７】映像表示システムで実行される他の処理内容例を示す図である。
【図１８】擬似画素の他の挿入位置例を示す図である。
【図１９】擬似画素の他の挿入位置例を示す図である。
【符号の説明】
【００４１】
１        映像表示システム
３        送出装置
３１      分割装置
５        表示装置
５１      再合成装置
５３      表示デバイス
５１１    擬似画素挿入部
５１３    映像処理部
５１５    部分映像切出部
５１７    映像合成部
【図５】
0004760288.tif 000002
【図６】
0004760288.tif 000003
【図７】
0004760288.tif 000004
【図８】
0004760288.tif 000005
【図９】
0004760288.tif 000006
【図１０】
0004760288.tif 000007
【図１１】
0004760288.tif 000008
【図１６】
0004760288.tif 000009
【図１７】
0004760288.tif 000010
【図１８】
0004760288.tif 000011
【図１９】
0004760288.tif 000012
【図１】
0004760288.tif 000013
【図２】
0004760288.tif 000014
【図３】
0004760288.tif 000015
【図４】
0004760288.tif 000016
【図１２】
0004760288.tif 000017
【図１３】
0004760288.tif 000018
【図１４】
0004760288.tif 000019
【図１５】
0004760288.tif 000020